(57)【要約】      （修正有）【課題】椅子の背やベッドの上、またはそれらに類似する家具に敷き、それらの上に、人の背骨の形に沿って、使用者が正しい姿勢を保って坐ったり、仰臥したりして、心地よく疲労を取り除ける、支持位置を調整できる敷物を提供する。【解決手段】少なくともその１つの表面が結合面１１であり、巻いたり、たたんだりして携帯や収納ができる１枚の柔軟なマット１と、各々の裏側にロケーター２１が設けられている複数のパッド２とを含み、ロケーター２１をマットの結合面に粘着して、パッド２をマットの適当な位置に固定支持する、支持位置を調整できる。【選択図】図１
0003152277.tif 000002
【実用新案登録請求の範囲】
【請求項１】
椅子の背やベッド上に敷く敷物であって、
少なくともその１つの表面が結合面であり、巻いたり、たたんだりして収納できる１枚の柔軟なマットと、
各々の裏側にロケーター(ｌｏｃａｔｏｒ)が設けられている複数のパッド(ｐａｄ) とを含み、
前記複数のパッドの裏側にあるロケーターを前記マットの結合面に粘着して、前記複数のパッドを前記マット上の適当な位置に固定支持する、支持位置を調整できる敷物。
【請求項２】
椅子の背やベッド上に敷く敷物であって、
少なくともその１つの表面に、１つの結合面を有する結合帯を設けてある、巻いたりたたんだりすることができる、１枚の柔軟なマットと、
各々の裏側にロケーター(ｌｏｃａｔｏｒ)が設けられている複数のパッド(ｐａｄ)とを含み、
前記複数のパッドの裏側にあるロケーターを前記マットの結合帯に粘着して、前記複数のパッドを前記マット上の適当な位置に固定支持する、支持位置を調整できる敷物。
【請求項３】
椅子の背やベッド上に敷く敷物であって、
少なくともその１つの表面が結合面であり、巻いてたたむことができる、１枚の柔軟なマットと、
各々の裏側にロケーター(ｌｏｃａｔｏｒ)が設けられている複数のパッド(ｐａｄ)と、
ほぼ人体の背骨の形をなした支持面を有する支持片とを含み、
前記マットで前記支持片の支持面をカバー、或いは包み、或いは支持面に貼り付け、前記複数のパッドの裏側にあるロケーターを前記マットの結合面に粘着して、前記複数のパッドを前記マット上の適当な位置に固定支持する、支持位置を調整できる敷物。
【考案の詳細な説明】
【技術分野】
【０００１】
本考案は支持位置を調整できる敷物に係り、特に椅子の背やベッド上に敷く敷物であって、複数の位置が調整可能なパッド（Ｐａｄ）を柔軟なマットに取り付けて、使用者が身体をその背骨の曲線に沿って、心地よく椅子の背にもたれたり、ベッド上に仰臥したりできる敷物に関するものである。
【背景技術】
【０００２】
図１３を参照しよう。この人体の脊椎図において、人体の脊椎１００はほぼＳ形をなし、人体の背中は脊椎を軸として左右対称を呈し、脊椎１００は上から下に頚椎１０１、胸椎１０２、腰椎１０３、と荐椎(仙骨)１０４に区分され、頚椎１０１と腰椎１０３にはそれぞれ１つのくぼみがある。仕事の都合で座姿を長い時間保持する場合、人体の脊椎１００の曲線は椅子やベッドとの間に隙間を生ずる。坐臥の習慣が人により、それぞれ異なるため、誰の脊椎曲線にも合う心地良い椅子やベッドを求めることは難しい。脊椎を適当に支えないと疲れやすくなり、長い時間を経過すれば、脊椎は損傷する。ゆえに長い坐業を続ける人は皆マットレスのような敷物を求めて腰や背中の下に敷き、脊椎を支持し、長い時間の坐姿に耐え得るようにするものである。このような敷物は脊椎や背中の健康を守るためには重要な装備であるが、個々の体型や坐臥の姿勢の相異により、通常のマットレスでは大勢の人を満足させることができない。
【０００３】
現在市販されている、人体脊椎曲線を模倣した敷物やマットレスには、調整可能のものもあるが、一般に下記の欠点がある。
【０００４】
１．体型や坐姿の個人差により、凡ゆる人に合うものがない。
【０００５】
２．調整機構のあるものは便利であるが、機構が鈍重で生産コストがかかり、販売価格も高くなり、誰でも買えるものではない。
【０００６】
以上のような欠点を改善せんがため本願の発明者はこの方面の業務に長期従事してきた経験に基づき、苦心研鑽の結果、遂に本願の支持位置を調整できる敷物の発明の成功を見るに至ったのである。
【考案の概要】
【考案が解決しようとする課題】
【０００７】
椅子の背やベッドの上、またはそれらに類似する家具に敷き、それらの上に、人の背骨の形に沿って、使用者が正しい姿勢を保って坐ったり、仰臥したりして、心地よく疲労を取り除ける、支持位置を調整できる敷物の提供を本考案の目的とする。
【０００８】
また、この敷物は複数のパッドを含み、使用者の体に当てて、一層効果よく疲労を除き、且つ巻いたり、たたんだりして携帯や収納可能で、随時随所で容易に使用でき、支持位置を調整できる敷物の提供を本考案のまた１つの目的とする。
【０００９】
また、上記の敷物に1つの支持片を加え、マットでこの支持片を覆って、背骨を一層有効に支持する、支持位置を調整できる敷物の提供を本考案の更に１つの目的とする。
【課題を解決するための手段】
【００１０】
上記の諸目的を達成するため、本考案に係る、支持位置を調整できる敷物は主に柔軟なマットと複数のパッドからなる。このマットは布製、または布にゴム・フォーム（ｒｕｂｂｅｒ  ｆｏａｍ）、或いは軟らかいプラスチック・フォーム (ｐｌａｓｔｉｃ  ｆｏａｍ)を貼り付けたもので、マットは巻いたり、たたんだりして収納、または携帯できるようにしている。パッドの裏側にはロケーター(ｌｏｃａｔｏｒ)があり、マットの結合面と結合して、パッドをマットにしっかりくっ付けるのである。この敷物を使用するとき、マットは椅子の背にかぶせたり、ベッドに敷いたりし、マットの結合面は露出させて、使用者がパッドをマット上の適当な位置に、自分の背骨の形状に似合うよう固定し、気持のよい座姿や臥姿を保つのである。なお、奥行きの深い椅子の場合は、１本の補助支持片をマットの下に挿し込んでパッドの位置を修正し、使用者の姿勢を楽に保持するのである。
【考案の効果】
【００１１】
本考案に係る支持位置を調整できる敷物は従来の類似品と比較して、下記の優点がある。
【００１２】
１．本考案の敷物はパッドの位置を適当に調整するだけで、如何なる種類の坐臥用の家具にも適用でき、使用者の姿勢を楽に保持するものである。
【００１３】
２．本考案の敷物は携帯できるので、持ち歩いて必要な所で使用できる。
【００１４】
３．椅子の奥行きが深い場合、補助の支持片をマットの下に挿し込んでパッドの位置を修正すれば、使用者の姿勢が心地よく保持できる。
【００１５】
４．本考案の敷物は広く、各種の椅子、べッド、ソファ、車両の座席、たたみなどに適用できる。
【００１６】
なお、本考案に係る支持位置を調整できる敷物に関するその他の特徴、優点や応用は、本明細書の末尾に添付した図面を参照して、以下説明する実施例の内容をご覧になっていただきたい。
【図面の簡単な説明】
【００１７】
【図１】本考案に係る支持位置を調整できる敷物の第1実施例における分解説明図である。
【図２】図１の組立図である。
【図３】本考案に係る支持位置を調整できる敷物の第2実施例における分解説明図である。
【図４】図３の組立図である。
【図５】本考案に係る第３実施例における、柔軟なマットの組成を説明する概略図である。
【図６】本考案に係る支持位置を調整できる敷物を回転椅子に応用した状態を示す概略図である。
【図７】本考案に係る支持位置を調整できる敷物を回転椅子に応用した状態を示す概略図である。
【図８Ａ】本考案に係る第４実施例において、マットに補助支持片を使用した状態を示す概略図である。
【図８Ｂ】本考案に係る第４実施例において、マットに補助支持片を使用した状態を示す概略図である。
【図９】本考案に係る第５実施例の概略図である。
【図１０Ａ】椅子に坐った使用者の背中を、パッド(ｌｅａｎｉｎｇ  ｐａｄ)で支持した状態を示す概略図である。
【図１０Ｂ】椅子に坐った使用者の背中を、パッド(ｌｅａｎｉｎｇ  ｐａｄ)で支持した状態を示す概略図である。
【図１１】本考案に係る第６実施例において、本考案の敷物をベッドに応用した状態を示す概略図である。
【図１２】本考案の第７実施例で、支持位置を調整できる敷物を自動車の座席に利用した概観図である。
【図１３】人体の脊椎曲線図である。
【考案を実施するための形態】
【００１８】
以下、本考案の実施の形態を図面に基づいて説明する。
【実施例１】
【００１９】
図１と図２を参照しよう。本考案の第１実施例における支持位置を調整できる敷物は、主として柔軟なマット１（以下マット1と簡称）と複数のパッド(ｌｅａｎｉｎｇ  ｐａｄ)２を含んでいる。
【００２０】
マット１は少なくとも１つの結合面１１があり、マット１自体は布製であるため柔軟で巻いたり、たたんだりして収納、または携帯できる。
【００２１】
各パッド２の裏面にはロケーター(ｌｏｃａｔｏｒ)２１があり、緩衝機能を持っている。パッド２の数は特に制限されるものではないが、２から５くらいが望ましい。
【００２２】
ロケーター２１はマット１の結合面１１上の適当な位置に調整できるよう、固定される。
【００２３】
マット１の結合面１１は、例えばファスナーやベルクロ（ｖｅｌｃｒｏ）のざらざらした面や棘面のような物であり、また、パッド２のロケーター２１にも対応した棘面とざらざら面があり、両者は粘着してパッド２をマット１の望む位置に固定するのである。
【００２４】
パッド２のサイズや形は同一か、或いは互いに相異してもよく、使用者の選択に任せるものである。
【実施例２】
【００２５】
図３と図４を参照しよう。この第２実施例において、図１と図２に示した第１実施例と異なる所は、第２実施例では少なくとも１本の結合帯３が、マット１の表面に形成されている点である。結合帯３には結合面３１があり、これにパッド２のロケーター２１が捕捉されて、マット１の望む位置にパッド２が固着するのである。第２実施例のその他の特徴や構成は、図１に示した第１実施例のそれらと同様であるため、重なる説明を省く。
【００２６】
結合帯３の結合面３１はファスナー状のざらざら面、または棘面が形成されてあり、またパッド２のロケーター２１もそれに対応した棘面、またはざらざらした結合面を持っているので、パッド２は容易にマット１に固着できるのである。
【実施例３】
【００２７】
図５を参照しよう。この第３実施例ではマット１はただの布地１２だけではなく、布地１２にゴム・フォーム (ｒｕｂｂｅｒ  ｆｏａｍ)１３、または軟らかいプラスチック・フォーム(ｐｌａｓｔｉｃ  ｆｏａｍ)を貼り付けた構成としている。マット１の中の一面は結合面１１をなし、他の一面は滑り防止面を形成している。マット１は柔軟なので巻いたり、たたんだりして収納、または携帯することができる。
【００２８】
図６と図７を参照しよう。両図は本考案に係る支持位置を調整できる敷物を回転椅子に応用した状態を示している。図６によるとマット１の一端部では１枚の頭巾１４で回転椅子４の背４１をカバーしている。図７では頭巾１４の代わりに、マット１の一端部と椅子４の背４１をマジック・カーペット５で貼り合わせている。図６と図７に図示された結合手段は共に、マット１を椅子４の背４１に取り付けることができる。そしてマット１の結合面１１は露出され、その上の任意の望む位置にパッド２を固着し、使用者の腰部、背中や頚部をその背骨の形に従って支持して、使用者に快感を与えるのである。
【００２９】
図６と図７で図示したマット１を装着する手段は、本考案における一実施例に過ぎず、これのみで本考案の応用範囲を制限するものではない。マット１の結合面１１にパッド２を固着し、そしてマット１で椅子４の背４１をカバーする手段は、本考案の技術範囲、或いはその同等の着想に悉皆含まれるものである。
【実施例４】
【００３０】
図８Ａと図８Ｂを参照しよう。この第４実施例では支持面６１を持ち、ほぼ人間の背骨曲線に類似した形の補助性の支持片６を椅子４の背４１と、マット１との間に挿入して、支持フレームや支持ブロックとしての役割を果たしている。そして支持面６１はマット１でカバーできるように露出され、使用者７の背中を支持片６で支持する。更にパッド２をマット１上の適当な位置に固着すれば、使用者７は背中を背骨に沿って気持ちよく、椅子４の背４１にもたれさせることができるのである。
【実施例５】
【００３１】
図９を参照しよう。この第５実施例ではマット１は支持片６の結合面６１に貼り付けられており、その結合面１１にはパッド２のロケーター２１が固着している。
【００３２】
図１０Ａと図１０Ｂを参照しよう。この図ではパッドで背骨を支えている様子を示している。人の背中は左右対称であり、図１０Ａによると複数のパッド２で背骨（脊椎）曲線７１に沿って人体を背骨の両側から支持している。更に頚椎１０１と腰椎１０３のくぼみを背骨曲線７１に沿って支持するため（図１３を同時に参照）、複数のパッド２を腰部、頚部やその他の必要とする箇所に配置する。また図１０Ｂに示すようにパッド２は互いにほぼ三角形、長条形、または背中を心地よく支持するものである。パッド２はマット１の上に任意に配置できるので、使用者７はその希望する位置に調整して、長時間の坐業にも疲労を感じないようにするのである。  
【実施例６】
【００３３】
図１１を参照しよう。この第６実施例ではマット１は寝台８の床面８１に敷かれていて、パッド２は使用者７の例えば頚部、背中、腰部、太腿、かかとの下に分散して安置され、使用者７ができるだけ、自身の背骨の曲線に沿った姿勢で仰臥し、安眠が得られるようにしている。
【実施例７】
【００３４】
図１２を参照しよう。この本考案の第７実施例では、支持片６やマット１は自動車９の座席９１に敷かれ、ドライバーの背骨曲線を支え、ドライバーは心地よく、長時間の運転に耐え得る。積み重ねられたパッドを移動して、背骨と椅子やベッドとの隙間を塞ぐことにより、確実な支持効果が得られる。
【産業上の利用可能性】
【００３５】
本考案に係る支持位置を調整できる敷物は、構造が簡単で部品の種類も少なく、低廉なコストで大量生産が可能であり、使用価値も高く、人類の日常生活に寄与すること甚大であると確信する。
【００３６】
以上詳細な説明は、本考案の実行可能な実施例に付いての具体的説明である。但し、これらの実施例は本考案の登録請求範囲を制限するものではなく、凡そ本考案の技術精神を逸脱せずなされた同等効果の実施または変更は、全て本考案の登録請求範囲に含まれるものとする。
【００３７】
以上を綜合すると本考案は、その形態において確かに創造性があるのみならず、従来の物品に比べ、上述の幾多の機能を追加でき、新規性及び進歩性の法定請求の要件に十分合致するものと考える。
【符号の説明】
【００３８】
１          柔軟なマット
１１        結合面
１２        布
１３        ゴム・フォーム
１４        頭巾
２          パッド
２１        ロケーター
３          結合帯
３１        結合面
４          回転椅子（椅子）
４１        椅子の背
５          マジック・カーペット
６          支持片
６１        支持面
７          使用者
７１        背骨曲線
８          寝台
８１        床面
９          自動車
９１        自動車の座席（シート）
１００      背骨（脊椎）
１０１      頚椎
１０２      胸椎   
１０３      腰椎
１０４      荐椎(仙骨)
【図１】
0003152277.tif 000003
【図２】
0003152277.tif 000004
【図３】
0003152277.tif 000005
【図４】
0003152277.tif 000006
【図５】
0003152277.tif 000007
【図６】
0003152277.tif 000008
【図７】
0003152277.tif 000009
【図８Ａ】
0003152277.tif 000010
【図８Ｂ】
0003152277.tif 000011
【図９】
0003152277.tif 000012
【図１０Ａ】
0003152277.tif 000013
【図１０Ｂ】
0003152277.tif 000014
【図１１】
0003152277.tif 000015
【図１２】
0003152277.tif 000016
【図１３】
0003152277.tif 000017